【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
相互接続システムであって、
第１回路基板であって、（ａ）第１差動相互接続経路と、（ｂ）前記第１回路基板の表面の第１信号パッドと、（ｃ）同じく前記第１回路基板の前記表面の第２信号パッドとを備えた第１回路基板であって、前記第１差動相互接続経路は、前記第１信号パッドに電気接続された第１信号経路と前記第２信号パッドに電気接続された第２信号経路とを備えている、第１回路基板と、
第２差動相互接続経路を備えた第２回路基板と、
前記第１差動相互接続経路を前記第２差動相互接続経路と電気接続させるコネクタであって、
第１面と前記第１面とは反対側の第２面とを有するインターポーザーであって、前記第１面は前記第１回路基板の前記表面に面する、インターポーザーと、
前記インターポーザーの前記第２面に隣接する端部を有する第１導体と、
前記第１導体と平行であり長さがほぼ等しい第２導体であって、同じく前記インターポーザーの前記第２面に隣接する端部を有する第２導体と、
前記第１導体と前記第２導体との間に配置される誘電材料と、
導体接触部と基板接触部と前記導体接触部と前記基板接触部との間の中間部とを有する第１の細長いコンタクト部材であって、前記導体接触部は前記第１導体の前記端部と物理的に接触し、前記基板接触部は前記第１信号パッドの表面と物理的に接触し前記表面を押し付けるが前記第１信号パッドに固定されず、そして前記中間部は前記インターポーザーの前記第１面から前記インターポーザーの前記第２面まで延びる穴内に配置され、ここで前記第１信号パッドは前記第１コンタクト部材に力を加え、前記第１コンタクト部材は限定された程度まで前記力の方向に自由に移動し、また前記力は前記第１回路基板の前記表面に対して垂直の方向である、第１の細長いコンタクト部材と、
導体接触部と基板接触部と前記導体接触部と前記基板接触部との間の中間部とを有する第２の細長いコンタクト部材であって、前記導体接触部は前記第２導体の前記第１端部と物理的に接触し、前記基板接触部は前記第２信号パッドの上表面と物理的に接触し前記表面を押し付けるが前記第２信号パッドに固定されず、そして前記中間部は前記インターポーザーの前記第１面から前記インターポーザーの前記第２面まで延びる穴内に配置され、ここで前記第２信号パッドは前記第２コンタクト部材に力を加え、前記第２コンタクト部
材は限定された程度まで前記力の方向に自由に移動し、また前記力は前記第１回路基板の前記表面に対して垂直の方向である、第２の細長いコンタクト部材と、を備えたコネクタと、
を備えた相互接続システム。
【請求項２】
前記第１導体と前記第２導体との間に配置される前記誘電性材料は、第１面と第２面とを有する第３の回路基板を構成する、請求項１に記載の相互接続システム。
【請求項３】
前記第１導体は前記第３の回路基板の前記第１面に配置され、前記第２導体は前記第３の回路基板の前記第２面に配置される、請求項２に記載の相互接続システム。
【請求項４】
前記第３の回路基板は第１スペーサーと第２スペーサーとの間に挟まれる、請求項３に記載の相互接続システム。
【請求項５】
前記第１スペーサーはその第１面に溝を持ち、前記溝は前記第１導体と位置が合いまたこれを反映する、請求項４に記載の相互接続システム。
【請求項６】
前記第１スペーサーは前記スペーサーを前記インターポーザーに取り付けるためのフィンガーを有する、請求項４に記載の相互接続システム。
【請求項７】
前記インターポーザーは前記フィンガーを受容するための窪みを有する、請求項６に記載の相互接続システム。
【請求項８】
前記第１スペーサーはボスを有し、前記第３の回路基板は前記ボスを受容するための開口部を有する、請求項４に記載の相互接続システム。
【請求項９】
前記第２スペーサーは前記ボスを受容するための開口部を有する、請求項８に記載の相互接続システム。
【請求項１０】
前記第２スペーサーはその第１面に溝を持ち、前記溝は前記第２導体と位置が合いまたこれを反映する、請求項９に記載の相互接続システム。
【請求項１１】
コネクタのためのスペーサーであって、
Ｍ個の溝セットが配置された第１面であって、前記Ｍ個の溝の各々は前記第１面の第１縁から前記第１面の第２縁まで延びる、第１面と、
Ｎ個の溝セットが配置された第２面であって、前記Ｎ個の溝の各々は前記第２面の第１縁から前記第２面の第２縁まで延びる、第２面と、
前記スペーサーを前記コネクタの一部に取り付けるため前記スペーサーの面から外側に突き出た細長いフィンガーと、
を備えたスペーサー。
【請求項１２】
ＮはＭより小さい、請求項１１に記載のスペーサー。
【請求項１３】
ＮはＭと等しい、請求項１１に記載のスペーサー。
【請求項１４】
前記Ｎ個の溝のいずれも前記Ｍ個の溝のいずれかの鏡像ではない、請求項１１に記載のスペーサー。
【請求項１５】
前記Ｎ個の溝の各々は前記Ｍ個の溝のうちの１つの鏡像である、請求項１１に記載のスペーサー。
【請求項１６】
第１回路基板上の信号経路を第２回路基板上の信号経路と電気接続させるコネクタであって、
各々が第１面と前記第１面とは反対側の第２面とを有する、第１、第２および第３スペーサーと、
第１の回路基板であって、前記第１および第２スペーサーの間に、前記第１の回路基板の第１面は前記第１スペーサーの前記第２面に当接し、前記第１の回路基板の第２面は前記第２スペーサーの前記第１面に当接するように挟まれ、前記第１の回路基板の前記第２面には信号導体セットが配置され、前記第１の回路基板の前記第２面に配置された前記信号導体の各々は前記第１の回路基板の前記第２面の第１縁に隣接する第１端部と、前記第１の回路基板の前記第２面の第２縁に隣接する第２端部と、前記第１端部と前記第２端部との間の中間部とを有する、第１の回路基板と、
第２の回路基板であって、前記第２および第３スペーサーの間に、前記第２の回路基板の第１面は前記第２スペーサーの前記第２面に当接し、前記第２の回路基板の第２面は前記第３スペーサーの前記第１面に当接するように挟まれ、前記第２の回路基板の前記第１面には信号導体セットが配置され、前記第２の回路基板の前記第１面に配置された前記信号導体の各々は前記第２の回路基板の前記第１面の第１縁に隣接する第１端部と、前記第２の回路基板の前記第１面の第２縁に隣接する第２端部と、前記第１端部と前記第２端部との間の中間部とを有する、第２の回路基板と、を備え、
前記第１の回路基板の前記第２面の前記第１縁は、前記第２の回路基板の前記第１面の前記第１縁と平行でありまたこれから離れて位置しており、
前記第２の回路基板の前記第１面に配置された前記信号導体のいずれも、前記第１の回路基板の前記第２面に配置された前記信号導体のいずれをも反映しない、コネクタ。
【請求項１７】
前記第２スペーサーの前記第１面には第１セットの溝が、前記溝の各々が前記第１の回路基板の前記第２面に配置された前記信号導体のうちの１つを反映するように配置され、
前記第２スペーサーの前記第２面には第２セットの溝が、前記溝の各々が前記第２の回路基板の前記第１面に配置された前記信号導体のうちの１つを反映するように配置される、請求項１６に記載のコネクタ。
【請求項１８】
前記第１の回路基板の前記第２面に配置された信号導体の数は、前記第２の回路基板の前記第１面に配置された信号導体の数と等しくない、請求項１６に記載のコネクタ。
【請求項１９】
前記第１の回路基板の第２面に配置された信号導体の数は、前記第２の回路基板の第１面に配置された信号導体の数より１つ少ないかまたは１つ多い、請求項１８に記載のコネクタ。
【請求項２０】
前記スペーサーの各々が接続するインターポーザーをさらに備え、前記インターポーザーは前記インターポーザーの開口部に配置されるコンタクト部材を収容し、前記コンタクト部材の各々は前記信号導体のうちの１つに接触する、請求項１６に記載のコネクタ。
【請求項２１】
コネクタであって、
複数のプリント回路基板であって、各々がその両面に各々配置される少なくとも１対の導電体を有する、複数のプリント回路基板と、
２つの端部を有する列として互いに隣接して配置されるようにされた複数のスペーサーであって、各スペーサーは、前記複数のプリント回路基板のうちの１つが、そのスペーサーと前記複数のスペーサーのうちの別のスペーサーとの間に配置され得るようにされ、前記複数のスペーサーの各々の各面はその隣接するプリント回路基板の前記導電体の各々のための溝を含み、前記溝はそのスペーサーと前記隣接するプリント回路基板の前記導体との間に空気スペースを設けるようにされ、前記導電体の各々は第１および第２端部を有し
、前記プリント回路基板と前記複数のスペーサーとは、第１面上で、前記複数の導電体の前記第１端部のすべてを露出させ、また第２面上で、前記複数の導電体の前記第２端部のすべてを露出させるようにされる、複数のスペーサーと、
前記複数のスペーサー列の前記両端部に各々隣接して配置されるようにされた一対のエンドピースと、
複数のセルと、
各々が前記第１および第２面に隣接して配置されるようにされた第１および第２インターポーザーであって、各インターポーザーは前記複数のプリント回路基板の各導電体対のための前記複数のセルのうちの１つを受容するようにされた開口部を有する、第１および第２インターポーザーと、
複数の導電コンタクトであって、各導電コンタクトは第１および第２端部を有し、前記第１および第２インターポーザーの前記セルのうちの１つに配置されるようにされ、ここで、前記複数の導電コンタクトの各々の前記第１端部は前記複数のプリント回路基板の前記導体対のうちの１つに電気接続し、また前記複数の導電コンタクトの各々の前記第２端部は各々のインターポーザーの各々のセルを通って前記インターポーザーの面を越えて延びる、複数の導電コンタクトと、
を備えたコネクタ。
【請求項２２】
前記導電コンタクトの各々はリーフスプリングコンタクトを構成し、前記スプリングコンタクトの一方の端部は前記各導電コンタクトの前記第１端部を構成し、前記スプリングの第２端部は前記導電コンタクトの前記第２端部を構成する、請求項２１に記載のコネクタ。
【請求項２３】
前記スプリングコンタクトの各々の前記一方の端部は、弾性力を与えて前記スプリングコンタクトを各々の導電体に向かって付勢して、これを前記導電体に電気接続させるようにされる、請求項２２に記載のコネクタ。
【請求項２４】
各セルは、弾性力を与えて前記セルを各々のインターポーザーに向かって付勢するようにされた少なくとも２つのスプリングを備えている、請求項２１に記載のコネクタ。
【請求項２５】
各セルは、前記少なくとも２つのスプリングを受容するようにされた円筒状の開口部を備えている、請求項２４に記載のコネクタ。
【請求項２６】
各セルは、各々のインターポーザーの各々の開口部内の対応するスロットと係合するようにされた少なくとも２つのタブを備えている、請求項２１に記載のコネクタ。
【請求項２７】
互いに隣接するプリント回路基板の前記少なくとも１対の導電体は、前記隣接するプリント回路基板の前記導電体間の距離を大きくするように互い違いに配置される、請求項２１に記載のコネクタ。
【請求項２８】
各プリント回路基板は少なくとも１つの開口部を備え、各スペーサーはそのいずれかの側に少なくとも１つのボスを備え、前記プリント回路基板の前記少なくとも１つの開口部は前記スペーサーの前記少なくとも１つのボスと係合するようにされた、請求項２１に記載のコネクタ。
【請求項２９】
前記複数のスペーサーを受容するようにされたスロットを含むバックボーンをさらに備えた、請求項２１に記載のコネクタ。
【請求項３０】
前記インターポーザーのうちの１つを収容しまた前記エンドキャップと係合するようにされたエンドプレートをさらに備えた、請求項２１に記載のコネクタ。
【請求項３１】
前記相互接続システムの２つの面を覆うようにされたシールドプレートをさらに備えた、請求項２１に記載のコネクタ。
【請求項３２】
相互接続システムを製造する方法であって、
複数のプリント回路基板であって、各々がその両面に各々配置された少なくとも一対の導電体を有する複数のプリント回路基板を提供することと、
複数のスペーサーを２つの端部を有する列として互いに隣接させて配置することであって、各スペーサーは、前記複数のプリント回路基板のうちの１つが、そのスペーサーと前記複数のスペーサーのうちの別のスペーサーとの間に配置され得るようにされ、前記複数のスペーサーの各々の各面は隣接するプリント回路基板の前記導電体の各々のための溝を含み、前記溝はそのスペーサーと前記隣接するプリント回路基板の前記導体との間に空気スペースを設けるようにされ、前記導電体の各々は第１および第２端部を有し、前記プリント回路基板と前記複数のスペーサーとは、第１面上で、前記複数の導電体の前記第１端部のすべてを露出させ、また第２面上で、前記複数の導電体の前記第２端部のすべてを露出させるようにされる、複数のスペーサーを配置することと、
一対のエンドピースを前記複数のスペーサー列の前記両端部に各々隣接して配置することと、
第１および第２インターポーザーを前記第１および第２面に各々隣接して配置することと、前記第１および第２インターポーザー内に複数のセルを配置することであって、各インターポーザーは、前記複数のプリント回路基板の各導体対のための前記複数のセルのうちの１つを受容するようにされた開口部を有する、第１および第２インターポーザーを配することと、
複数の導電コンタクトを提供することであって、各導電コンタクトは第１および第２端部を有しまた前記セルのうちの１つに配置され、ここで、前記複数の導電コンタクトの各々の前記第１端部は前記複数のプリント回路基板の前記導電体対のうちの１つに電気的に接触し、また前記複数の導電コンタクトの各々の前記第２端部は各々のセルを通って前記インターポーザーの面を越えて延びる、複数の導電コンタクトを提供することと、
を包含する方法。
【請求項３３】
複数のスプリングを提供することをさらに包含し、各スプリングは前記セルのうちの１つに収容される、請求項３２に記載の方法。
【請求項３４】
前記複数のスプリングの各々の端部をスペーサーの面の窪みに配置することをさらに包含する、請求項３３に記載の方法。
【請求項３５】
各セルは前記スプリングのうちの少なくとも２つを収容する、請求項３４に記載の方法。
【請求項３６】
前記少なくとも２つのスプリングを受容するために各セルに少なくとも２つの円筒状開口部を提供することをさらに包含する、請求項３５に記載の方法。
【請求項３７】
各セルに少なくとも１つのタブを提供することをさらに包含し、前記少なくとも１つのタブは各々のインターポーザーの各々の開口部内の対応するスロットと係合するようにされる、請求項３２に記載の方法。
【請求項３８】
スペーサーを受容するためのスロットを含むバックボーンを提供することをさらに包含する、請求項３２に記載の方法。
【請求項３９】
前記インターポーザーのうちの１つを収容しまた前記エンドキャップと係合するように
エンドプレートを提供することをさらに包含する、請求項３２に記載の方法。
【請求項４０】
前記相互接続システムの少なくとも２つの面を覆うようにシールドプレートを提供することをさらに包含する、請求項３２に記載の方法。
【手続補正２】
【補正対象書類名】明細書
【補正対象項目名】００１６
【補正方法】変更
【補正の内容】
【００１６】
図１は、本発明の好適な実施形態の例によるコネクタ１００の分解図である。理解を容易にするために、いくつかの構成要素は省かれている。図１に示すように、コネクタ１００は、導電体を上部にプリントした少なくとも１つのプリント回路基板１２０を含み得る。図示した実施形態では、コネクタ１００はさらに、スペーサー対１１０ａおよび１１０ｂ、インターポーザー対１８０ａおよび１８０ｂ、エンドキャップ対１９９（１９９ａおよび１９９ｂ）、バックボーン１５０、シールド１６０およびエンドプレート対１９０（すなわち１９０ａおよび１９０ｂ）を含み得る。図１には１つの回路基板および２つのスペーサーしか示していないが、当業者であれば、後に述べるように、典型的な構成ではコネクタ１００は多数の回路基板およびスペーサーを含み、各回路基板が２つのスペーサーの間に配置されることは理解されよう。
【手続補正３】
【補正対象書類名】明細書
【補正対象項目名】００２５
【補正方法】変更
【補正の内容】
【００２５】
溝６０１〜６０４は、溝４０１〜４０３と同様に、各溝６０１〜６０４は面４９１の第１縁６１０上の点から面４９１の第２縁６１１上の点まで延びる。同様に、窪み６２１および６３１は窪み４２１および４３１と同様である。各窪み４２１のように、各窪み６２１は、面４９１の縁６１０上の点から縁６１０から短い距離だけ内側に間隔をあけた第２の点まで延びる。同様に、各窪み６３１は、面４９１の縁６１１上の点から縁６１１から短い距離だけ内側に間隔をあけた第２の点まで延びる。各窪み６２１、６３１はスプリング要素の端部を受容するように設計されている（図１６、要素１５２０を参照）。
【手続補正４】
【補正対象書類名】明細書
【補正対象項目名】００３４
【補正方法】変更
【補正の内容】
【００３４】
溝９０１〜９０３は、各溝９０１〜９０３が面９２０の第１縁９１０上の点から面９２０の第２縁９１１上の点まで延びている点において溝４０１〜４０３に類似する。同様に、窪み９２１および９３１は窪み４２１および４３１に類似する。各窪み９２１は、面９２０の縁９１０上の点から縁９１０から短い距離だけ内側に間隔をあけた第２の点まで延び、各窪み９３１は、面９２０の縁９１１上の点から縁９１１から短い距離だけ内側に間隔をあけた第２の点まで延びる。
【手続補正５】
【補正対象書類名】明細書
【補正対象項目名】００３６
【補正方法】変更
【補正の内容】
【００３６】
スペーサー１１０ａの正面の上の方に位置するフィンガー４３５とは異なり、フィンガー８３５はスペーサー１１０ｂの正面の底の方に位置する。同様に、スペーサー１１０ａの底面の前の方に位置するフィンガー４３７とは異なり、フィンガー８３７はスペーサー１１０ｂの底面の後ろの方に位置する。フィンガー８３５は、スペーサー１１０ｂの正面からスペーサーの正面に対して垂直の方向に外向きに突き出ており、フィンガー８３７は、スペーサー１１０ｂの底面からスペーサーの底面に対して垂直の方向に外向きに突き出ている。フィンガー４３５および４３７のように、フィンガー８３５および８３７はスペーサー１１０ｂを各々インターポーザー１８０ｂおよび１８０ａに取り付けるように作用する。
【手続補正６】
【補正対象書類名】明細書
【補正対象項目名】００６１
【補正方法】変更
【補正の内容】
【００６１】
図２１は、基板１２０に対するならびに基板２１９０および２１８０に対するインターポーザー１８０の配置を示す。基板１２０とインターポーザー１８０とが、基板１２０の正面２１０２がインターポーザー１８０ｂの開口部の縦列の中心線と合うように、また基板１２０の底面２１０４がインターポーザー１８０ａの開口部の縦列の中心線と合うように配置される
ことを示すために、同図にはスペーサー１１０は示されていない。図２１はまた２つのセル１５７０を示しており、各々がインターポーザー１８０の開口部に配置されている。図２１に示すように、各セル１５７０のコンタクト部材１５３０は対応する導体と物理的に接触する。
【手続補正７】
【補正対象書類名】明細書
【補正対象項目名】００６５
【補正方法】変更
【補正の内容】
【００６５】
好適な実施形態では、基板２１９０は、第１信号経路２１９６ａ（例えば、第１トレース）と第２信号経路２１９６ｂ（例えば、第２トレース）とを有する差動信号経路を含む。図示するように、第１パッド２１９４ａは第１信号経路２１９６ａに接続され、第２導電要素２１９４ｂは第２信号経路２１９６ｂに接続される。第２回路基板２１８０もまた、経路２１９６のような信号経路対に電気的に接続される、要素２１９４のような導電要素対を有し得る。
【手続補正８】
【補正対象書類名】明細書
【補正対象項目名】００６７
【補正方法】変更
【補正の内容】
【００６７】
コンタクト部材１５３０の端部１６４１が対応する要素２１９４を押し付けると、要素によって生じる通常の力がコンタクト部材に加えられる。コンタクト部材１５３０はハウジング１２２内でしっかりと保持されているため、この通常の力によりハウジング１２２が通常の力の方向（すなわち、回路基板２１９０から離れる方向）に移動する。しかし、ハウジング１２２が基板２１９０から離れる方向に移動するとスプリング１５２０は収縮して基板２１９０によって生じる通常の力の方向とは反対方向の力をハウジングに加えるため、スプリング１５２０によって、ハウジング１２２が基板２１９０から離れる方向に
移動する大きさが制限される。これは、スプリングの遠位端はスペーサー１１０の表面に当接し、またスペーサーはインターポーザー１８０にしっかりと取り付けられており、インターポーザー自体は基板２１９０に対して移動しないために生じる。よって、スプリング１５２０は収縮し、ハウジングに正常な力とは反対方向の力を加える。
【手続補正９】
【補正対象書類名】明細書
【補正対象項目名】００６８
【補正方法】変更
【補正の内容】
【００６８】
図１に戻って、各スペーサー１１０は細長いバックボーン１５０に取り付けられるように構成され得る。また、コネクタ１００は、各々がバックボーン１５０の各端部に取り付けられるように設計されている２つのエンドキャップ１９９（１９９ａおよび１９９ｂ）を含んでもよい。バックボーン１５０およびエンドキャップ１９９（１９９ａおよび１９９ｂ）について以下に述べる。
【手続補正１０】
【補正対象書類名】明細書
【補正対象項目名】００６９
【補正方法】変更
【補正の内容】
【００６９】
図２３は、バックボーン１５０の実施形態を示す。図示した実施形態によるバックボーン１５０は、エンドキャップ１９９（１９９ａおよび１９９ｂ）と係合するようにされたボス２３００と、図２７に示すように各々がスペーサー１１０のフィンガー４４０を受容するようにされたスロット２３２０とを含む。バックボーン１５０はさらに、スペーサー１１０と係合するようにされた歯２３３０を含んでもよい。
【手続補正１１】
【補正対象書類名】明細書
【補正対象項目名】００７２
【補正方法】変更
【補正の内容】
【００７２】
前述のように、エンドキャップ１９９（１９９ａおよび１９９ｂ）およびスペーサー１１０は、プラスチックなどの絶縁性材料により製造し導電性材料で被覆して電磁的な遮蔽を提供してもよいし、または全体を金属などの導電性材料により製造してもよい。
【手続補正１２】
【補正対象書類名】明細書
【補正対象項目名】００７４
【補正方法】変更
【補正の内容】
【００７４】
図２５および図２６に示すように、バックボーン１５０のボス２３００はエンドキャップ１９９（１９９ａおよび１９９ｂ）の対応する開口部２４０２内に入れられて剛直な構造を形成する。このボス２３００および開口部２４０２の使用は例示のためのものであって、本発明はこれに限定されない。すなわち、他の締め付け手段を用いてバックボーン１５０をエンドキャップ１９９（１９９ａおよび１９９ｂ）に機械的に接続させることができる。
【手続補正１３】
【補正対象書類名】明細書
【補正対象項目名】００７７
【補正方法】変更
【補正の内容】
【００７７】
図２８は取り付けクリップ１９０ｂの実施形態を示す。図示した実施形態による取り付けクリップ１９０ｂは、（ａ）回路基板（例えば、基板２１９０または２１８０）の穴と係合するようにされたピン２８６０と、（ｂ）エンドキャップ１９９（１９９ａおよび１９９ｂ）のトング２４３０を受容するようにされたスロット２８７０とを含む。ピン２８６０は、上述の回路基板の穴と係合することによってクリップ１９０ｂを回路基板に接続させるよう作用する。ピン２８６０は導電性であり、接続先の回路基板の基平面に電気的および物理的に接続し得る。